(57)【要約】【課題】  カタカナ変換用の記号「＾」がグループタイトル以外の部分に現れた場合にも、これをグループ管理有効なディスクと正確に判断できる文字処理システムを得る。【解決手段】  カタカナ変換用の記号「＾」がグループタイトル以外の部分に記述されているメディアでも、記号「＾」を無視した場合にグループの記述が正しい場合には、グループ管理有効と判定するグループ管理識別手段を備え、グループ管理識別手段は、入力される文字のグループ判定を行うグループ判定手段９ｄと、このグループ判定手段の出力に基づいて一文字検索を行う一文字検索手段９ｆと、この一文字検索手段の出力と予めメモリ１０に記憶されているデータにに基づいて最大二文字の記号「＾」を許容し、文字検索を行う文字検索手段９ｇとを有する。【選択図】        図１
2006164397.tif 000002
【特許請求の範囲】
【請求項１】
カナ表示を行い、かつグループ管理に対応する再生機および録音再生機を備えた文字処理システムにおいて、
カタカナ変換用の記号がグループタイトル以外の部分に記述されているメディアでも、上記記号を無視した場合にグループの記述が正しい場合には、グループ管理有効と判定するグループ管理識別手段を備えたことを特徴とする文字処理システム。
【請求項２】
グループ管理識別手段は、入力される文字のグループ判定を行うグループ判定手段と、前記グループ判定手段の出力に基づいて一文字検索を行う一文字検索手段と、前記一文字検索手段の出力と予めメモリに記憶されているデータに基づいて最大二文字のカタカナ変換用の記号を許容し、文字検索を行う文字検索手段とを有することを特徴とする請求項１記載の文字処理システム。
【請求項３】
グループ管理識別手段は、文字検索手段の出力に基づいて予めメモリに記憶されているデータを要求し、文字検索手段へ送出させるデータ要求手段を有することを特徴とする請求項２記載の文字処理システム。
【発明の詳細な説明】
【技術分野】
【０００１】
この発明は、グループタイトル以外の部分に現れたカタカナ変換用の記号「＾」を存在しないものとして曲範囲、「；」、グループとグループの区切れ、およびグループの終端を示す記号「／／」の認識を行う文字処理システムに関するものである。
【背景技術】
【０００２】
一般に、ミニディスク（以下、ＭＤという）において、カタカナデータは二つのカタカナ変換用の記号「＾」の間に囲まれた所定のローマ字規則によって書かれて初めてカタカナ表示を行うことができる。また、グループ管理についてはＭＤのＤｉｓｃ  ｎａｍｅ領域に所定の規則に従ってグループの情報を記述することでグループ管理が利用可能となる（例えば、特許文献１参照）。
【０００３】
【特許文献１】特開２００３−２５６４１４号公報
【発明の開示】
【発明が解決しようとする課題】
【０００４】
しかしながら、従来の文字処理システムにおいては、カタカナ変換用の記号「＾」がグループの情報の内、グループの名前およびディスクタイトルを表す部分に表記されている場合はグループ管理有効とすることが可能であったが、カタカナ変換用の記号「＾」がそれ以外の部分に表記されている場合はグループ管理有効とすることができなかった。（ただし、Ｄｉｓｃ  ｎａｍｅスロットル領域に書かれている内容全体として適切にカタカナ表記が行われているとする）。
即ち、通常、カタカナ表記には開始と終端の記号「＾」を含めて８０文字以内というルールがあるが、そのため、それ以上の文字数カタカナを入力したい場合には、一度８０文字目に記号「＾」を入れ、さらに「＾」を入れて再度そこからカタカナ変換開始を宣言するということを行っており、また、カタカナ変換に関係のない数字、記号を二つの記号「＾」の間に入れてもよいことになっている。以上のことから数字、記号が入り交じったカタカナ文字列が７８文字を越える場合に「＾＾」を入れてカタカナ変換を一度区切るということが起こりえる。従って、従来の文字処理システムにおいては、この記号「＾＾」がグループタイトル以外の部分に現れた場合に、カタカナ表示の上では適切なグループの記述がされているように見えるにも拘わらずグループ管理有効なディスクと判断できないという問題点があった。
【０００５】
この発明は、前記のような課題を解決するためになされたもので、カタカナ変換用の記号「＾＾」及び「＾」がグループタイトル以外の部分に現れた場合にも、これをグループ管理有効なディスクと正確に判断できる文字処理システムを得ることを目的とする。
【課題を解決するための手段】
【０００６】
この発明に係る文字処理システムは、カタカナ変換用の記号がグループタイトル以外の部分に記述されているメディアでも、カタカナ変換用の記号を無視した場合にグループの記述が正しい場合には、グループ管理有効と判定するグループ管理識別手段を備えたものである。
【発明の効果】
【０００７】
この発明は、カタカナ変換用の記号がグループタイトル以外の部分に現れた場合にも、これをグループ管理有効なディスクと正確に判断できるという効果がある。
【発明を実施するための最良の形態】
【０００８】
以下、この発明の実施の一形態を、図１〜図３を参照して説明する。
実施の形態１．
図１は、この発明の実施の形態１による文字処理システムの構成を示すブロック図である。
図１において、ミニディスク（以下、ＭＤという）１の回転を検出するディスク回転手段２と、ＭＤ１を駆動するモータ駆動部３が設けられ、モータ駆動部３は、ディスク回転制御手段３ａとピックアップ位置制御手段３ｂを有する。
また、ＭＤ１から信号を読み取るピックアップ４と、ピックアップ４で読み取られた信号を増幅する信号増幅手段５と、信号増幅手段５からの信号を処理するディジタル信号処理部６が設けられ、ディジタル信号処理部６は、信号増幅手段５からの信号データを次段に伝達する信号データ伝達手段６ａと、信号データ伝達手段６ａからの信号データと後述のマイクロコンピュータ（以下、単にマイコンと称する）９からの動作指示に基づいて制御信号を生成する制御信号生成手段６ｂと、信号データ伝達手段６ａからの信号データを音楽信号に変換するデータ変換手段６ｃを有する。また、データ変換手段６ｃからの音楽信号を増幅する信号増幅手段７と、信号増幅手段７からの音楽信号を音として鳴らすスピーカ８が設けられる。
【０００９】
また、ディジタル信号処理部６からの出力を処理するマイコン９と、マイコン９からの信号を格納するＲＡＭ１０と、マイコン９に対して入力を行う入力手段と、マイコン９からの信号に基づいて状態を表示する状態表示手段１２が設けられる。
【００１０】
マイコン９は、入力手段１１から操作指示を受ける操作指示受付手段９ａと、メインプログラムを含み、操作指示受付手段９ａおよび後述のグループ判定手段９ｄの出力に基づき状況に合わせて動作を行うメインプログラム作動手段９ｂと、メインプログラム作動手段９ｂの出力に基づいて動作の指示をディジタル信号処理部６のデータ変換手段６ｃに出力する動作指示手段９ｃと、メインプログラム作動手段９ｂおよび後述の文字検索結果伝達手段９ｉの出力に基づいてグループ判定を行い、その判定結果をメインプログラム作動手段９ｂに出力するグループ判定手段９ｄと、グループ判定手段９ｄの出力に基づいてそれぞれ一文字検索を行う一文字検索手段９ｅ，９ｆと、一文字検索手段９ｆとＲＡＭ１０の出力に基づいて最大二文字の記号「＾」を許容し、文字検索を行う文字検索手段９ｇと、一文字検索手段９ｅと文字検索手段９ｇの出力に基づいてＲＡＭ１０に対してデータの要求をするデータ要求手段９ｈと、文字検索手段９ｇとＲＡＭ１０の出力に基づいて文字検索結果をグループ判定手段９ｄに伝達する文字検索結果伝達手段９ｉと、信号データ伝達手段６ａからのデータを加工してＲＡＭ１０に伝達するデータ加工伝達手段９ｊとを有する。
【００１１】
また、ＲＡＭ１０は、データ加工伝達手段９ｊからの加工データを格納するデータ格納手段１０ａと、データ要求手段９ｈからのデータ要求に応じてデータ格納手段１０ａに格納されているデータを文字検索手段９ｇおよびデータ加工伝達手段９ｊに送り出すデータ送出手段１０ｂを有する。
【００１２】
なお、図１において、太線の矢印で示すグループ判定手段９ｄ、一文字検索手段９ｅ、データ要求手段９ｈ、データ送出手段１０ｂおよび文字検索結果伝達手段９ｉの信号径路は、単に文字を検索して行く通常のループであって、本実施の形態では、特に、一文字検索手段９ｆにてグループ判定手段９ｄの出力から一文字検索を行って文字探索手段９ｇに送り、文字探索手段９ｇの出力に基づいてデータ要求手段９ｈからデータ送出手段１０ｂに対してデータの要求を行い、データ送出手段１０ｂからのデータを文字探索手段９ｇに送出させ、文字探索手段９ｇでは、そのデータに含まれる最大二文字の記号「＾」を許容し、文字検索を行う特徴とするものである。
【００１３】
次に、動作について、図２、図３を参照して説明する。
先ず、信号処理に際し、後述の如く判定が行われるグループの記述について、必要な項目を概略纏めると次のようになる。
グループの記述は、通常Ｄｉｓｃ  ｎａｍｅの書かれていた領域に記入されており、そこにかかれた記述が、グループの記述として適切でない場合グループ管理無効として従来と同じ動作を行う。なお、Ｄｉｓｃ  ｎａｍｅとしてはその適切でないグループの記述がそのまま表示される。
また、一つのグループの記述は、曲範囲；グループタイトルで構成され、それぞれのグループ記述の間には、記号／／を入れグループの記述と記述の境界とし、グループの記述の最後には、記号／／を付ける。
また、曲範囲の宣言は、数字、数字−数字で表し、グループに所属する曲の範囲を示す。Ｄｉｓｃ  ｎａｍｅは、０；Ｄｉｓｃ  ｎａｍｅと表し、グループの記述の先頭に表示する。但し、Ｄｉｓｃ  ｎａｍｅが存在しない場合は表示しなくてもよい。なお、所属曲のないグループがあってもよく、所属曲のないグループはグループの記述の最後に記述する。また、各グループにおいて所属曲の重複があってはならず、グループの最大数は９９とする。
【００１４】
次に、図２を参照して、先ず、全体的な動作を説明する。
ステップＳＴ１において、ディスクローディングを行い、ステップＳＴ２において、ディスク情報を読み込み（ＵＴＯＣ（Ｕｓｅｒ  Ｔａｂｌｅ  Ｏｆ  Ｃｏｎｔｅｎｔｓ）読み込み）、ステップＳＴ３において、Ｄｉｓｃ  ｎａｍｅ領域を参照し、ステップＳＴ４において、グループ判定手段９ｄの出力から一文字検索手段９ｆで一文字検索を行い、文字探索手段９ｇを介してデータ要求手段９ｈからデータ送出手段１０ｂに対してデータの要求を行い、文字探索手段９ｇでそのデータに含まれる最大二文字の記号「＾」を許容しながら、文字検索を行う本発明の処理を含むグループの記述判定に入り、ステップＳＴ５において、グループ管理が有効であったかどうかを判別し、有効であれば、ステップＳＴ６において、グループの再生を行い、無効であれば、ステップＳＴ７において、通常の再生を行う。
【００１５】
次に、上述のステップＳＴ４における文字の探索を行う場合の動作について詳しく説明する。
グループの記述認識において現在の文字位置から右の一文字が目的の文字かどうかを判定するシステムにおいては、最大二文字の記号「＾」を許容して文字探索を行う。
具体的な動作は、次の図３に示すフローチャ−トの通りである。但し、現在の文字位置から一つ右の文字を＋１、二つ右の文字を＋２、三つ右の文字を＋３とする。
図３において、先ず、文字探索開始に入ると、ステップＳＴ１１において、＋１が探索文字かどうかを判別し、＋１が探索文字であれば、ステップＳＴ１２において、探索文字有りと認識する。一方、ステップＳＴ１１で＋１が探索文字でなければ、ステップＳＴ１３において、＋１がカタカナ変換用の記号「＾」かどうかを判別し、＋１が記号「＾」であれば、ステップＳＴ１４において、＋２が探索文字かどうかを判別し、＋２が探索文字であれば、ステップＳＴ１２において、探索文字有りと認識する。また、ステップＳＴ１３で＋１が記号「＾」でなければ、ステップＳＴ１５において、探索文字無しと認識する。
【００１６】
また、ステップＳＴ１４で＋２が探索文字でなければ、ステップＳＴ１６において、＋２が記号「＾」かどうかを判別し、＋２が記号「＾」であれば、ステップＳＴ１７において、＋３が探索文字かどうかを判別し、＋３が探索文字であれば、ステップＳＴ１２において、探索文字有りと認識する。一方、ステップＳＴ１４で＋２が記号「＾」でないか、または、ステップＳＴ１７で＋３が探索文字でなければ、いずれも、ステップＳＴ１５に進んで、探索文字無しと認識する。
【００１７】
これをグループとグループの境界および記述の終端を示す記号「／／」探索や曲範囲認識「；」認識に適用すると、下記の式（１）で表わされる。
０；＾ＴＥＳＵＴＯ/＾＾/１−３；ＳＵＲＵ＾Ｔｅｓｔ＾ＧＵＲＵ//７＾＾−８；−ＰＵ＾１//１０；＾ＧＵＲＵ//＾                        （１）
【００１８】
そして、この式（１）で表される記述が、本発明では、下記の式（２）で表わされ、グループタイトル以外の部分の記号「＾」を無視した記述と同様のグループの認識が行われる。
０；＾ＴＥＳＵＴＯ//１−３；ＳＵＲＵ＾Ｔｅｓｔ＾ＧＵＲＵ//７−８；−ＰＵ＾１//１０；＾ＧＵＲＵ//                                      （２）
【００１９】
なお、本実施の形態は、Ｄｉｓｃ  ｎａｍｅ全体としてカタカナ表記が適切であった場合に対して適用するものであって、適切でない表記における記号「＾」を許容するものではなく、また、グループの記述をどのようなアルゴリズムで各グループの認識を行うかを制限するものではなく、さらに、グループタイトル部分に表記されている記号「＾」に関してはいっさいの処理を行うものではない。
【００２０】
このようにして、本実施の形態では、カナ表示を行い、かつグループ管理に対応する再生機および録音再生機において、記号「＾」がグループタイトル以外の部分に記述されている記録媒体でも、記号「＾」を無視した場合にグループの記述が正しい場合には、グループ管理有効と判定できる。
【図面の簡単な説明】
【００２１】
【図１】この発明の実施の形態１による文字処理システムの構成を示すブロック図である。
【図２】この発明の実施の形態１による文字処理システムにおける動作を説明するためのフローチャートである。
【図３】この発明の実施の形態１による文字処理システムにおける文字探索の動作を説明するためのフローチャートである。
【符号の説明】
【００２２】
１  ＭＤ、３  モータ駆動部、９  マイコン、９ａ  操作指示受付手段、９ｂ  メインプログラム作動手段、９ｃ  動作指示手段、９ｄ  グループ判定手段、９ｅ，９ｆ  一文字検索手段、９ｇ  文字探索手段、９ｈ  データ要求手段、９ｉ  文字探索結果伝達手段、９ｊ  データ加工伝達手段、９ｋ  表示信号生成手段、１０  ＲＡＭ、１０ａ  データ格納手段、１０ｂ  データ送出手段、１１  入力手段、１２  状態表示手段。
【図１】
2006164397.tif 000003
【図２】
2006164397.tif 000004
【図３】
2006164397.tif 000005